(57)【要約】      （修正有）【課題】人員不足で診療放射線技師の雇用、採用が簡単ではなくなっている状況下において、開業医などの医師が、多くの設備投資などを行う必要なく、簡易に構築することができる遠隔放射線撮影システムを提供する。【解決手段】患者などの体の特定の部位に対して放射線撮影装置６から放射線を照射して放射線撮影を行う放射線撮影場所に配備されている前記放射線撮影装置、音声情報入出力手段４及び、画像情報撮影手段５と、前記放射線撮影装置に対する放射線撮影実行を指示する入力を行う医師２０が操作する診察・診断室端末１とが、ネットワーク３を介して、接続されている遠隔放射線撮影システム。前記診察・診断室端末は、音声情報入出力手段１１と、画像情報出力・表示手段１２と、放射線撮影実行指示入力手段とを備えている。【選択図】図１
0003235400.tif 000002
【実用新案登録請求の範囲】
【請求項１】
患者などの体の特定の部位に対して放射線撮影装置から放射線を照射して放射線撮影を行う放射線撮影場所に配備されている前記放射線撮影装置、音声情報入出力手段及び、画像情報撮影手段と、
前記放射線撮影装置に対する放射線撮影実行を指示する入力を行う医師が操作する診察・診断室端末とが、ネットワークを介して、接続されてなり、
前記診察・診断室端末は、音声情報入出力手段と、画像情報出力・表示手段と、前記放射線撮影装置に対する放射線撮影実行を指示する情報を入力する放射線撮影実行指示入力手段とを備えている遠隔放射線撮影システム。
【請求項２】
患者などの体の特定の部位に対して放射線撮影装置から放射線を照射して放射線撮影を行う放射線撮影場所に配備されている放射線撮影場所端末と、
前記放射線撮影装置に対する放射線撮影実行を指示する入力を行う医師が操作する診察・診断室端末とが
ネットワークを介して接続されてなり、
前記放射線撮影場所端末には、
前記放射線撮影装置と、
音声情報入出力手段と、
画像情報撮影手段と
が接続されていて、
前記診察・診断室端末は、
音声情報入出力手段と、
画像情報出力・表示手段と、
前記放射線撮影装置に対する放射線撮影実行を指示する情報を入力する放射線撮影実行指示入力手段と
を備えている遠隔放射線撮影システム。
【考案の詳細な説明】
【技術分野】
【０００１】
この考案は、放射線撮影システムに関し、特に、患者などの体の特定の部位に対して放射線を照射して放射線撮影を行う放射線撮影場所から離れた遠隔地にいる医師が、前記放射線撮影場所において、放射線撮影を行うべく前記患者などの前記特定の部位に向けて放射線撮影装置をセットする看護師などに対して前記遠隔地から所定の指示を行い、前記のようにセットされた前記放射線撮影装置に対する撮影実行を指示する入力を、前記遠隔地にいる前記医師が行う遠隔放射線撮影システムに関する。
【背景技術】
【０００２】
患者などの体の特定の部位に対して放射線を照射して放射線撮影を行う放射線撮影場所と、放射線撮影された画像データに基づいて医師が診察・診断などを行う診察・診断場所とが遠隔に離れていて、前記放射線撮影場所と前記診察・診断場所との間を有線または無線のネットワークで接続し、放射線撮影された前記画像データを当該ネットワークを介して前記診察・診断場所に送り、前記医師が、コンピュータなどの端末装置の液晶画面などからなる画像情報表示手段に前記画像データを出力・表示して診察・診断などを行うシステムについては従来から提案されている（例えば、特許文献１）。
【先行技術文献】
【特許文献】
【０００３】
【特許文献１】特開２００２−３０６４６３号公報
【考案の概要】
【考案が解決しようとする課題】
【０００４】
患者などの体の特定の部位に対して放射線を照射して放射線撮影を行う放射線撮影場所と、放射線撮影された画像データに基づいて医師が診察・診断などを行う場所とが遠隔に離れている診察・診断システムについては上述したように従来から提案が行われているが、従来から、放射線技師法の定めに基づいて、医師、歯科医師又は診療放射線技師でなければ放射線を人体に対して照射する行為を行ってはならないとされている（診療放射線技師法（昭和二十六年法律第二百二十六号）第２条第２項）。
【０００５】
このため、上述した従来の診察・診断システムでも、放射線撮影場所において、患者などの体の特定の部位に対して放射線を照射して放射線撮影を行う者は診療放射線技師や医師などに限られていた。
【０００６】
しかし、近年では、人員不足などの問題から、開業医が診療放射線技師を雇用したり、採用することが難しくなっている。診療放射線技師を雇用できていない開業医が、自らの医院で放射線撮影を行おうとすると自分で放射線撮影を行う必要がある。これは、開業医の忙しい日常の診察・診断を圧迫する要因になるものである。
【０００７】
そこで、この考案は、放射線撮影場所において、医師の指示のもとに、放射線撮影すべき患者などの体の特定の部位に向けて放射線撮影装置をセットする、診療放射線技師でなくても行うことのできる行為を、看護師などが行い、セットされた前記放射線撮影装置に対する撮影実行を指示する入力を、前記放射線撮影装置とネットワークでつながっているコンピュータなどの端末装置から医師が行うことのできる遠隔放射線撮影システムを提案することを目的にしている。
【課題を解決するための手段】
【０００８】
[１]
患者などの体の特定の部位に対して放射線撮影装置から放射線を照射して放射線撮影を行う放射線撮影場所に配備されている前記放射線撮影装置、音声情報入出力手段及び、画像情報撮影手段と、
前記放射線撮影装置に対する放射線撮影実行を指示する入力を行う医師が操作する診察・診断室端末とが、ネットワークを介して、接続されてなり、
前記診察・診断室端末は、音声情報入出力手段と、画像情報出力・表示手段と、前記放射線撮影装置に対する放射線撮影実行を指示する情報を入力する放射線撮影実行指示入力手段とを備えている遠隔放射線撮影システム。
[２]
患者などの体の特定の部位に対して放射線撮影装置から放射線を照射して放射線撮影を行う放射線撮影場所に配備されている放射線撮影場所端末と、
前記放射線撮影装置に対する放射線撮影実行を指示する入力を行う医師が操作する診察・診断室端末とが
ネットワークを介して接続されてなり、
前記放射線撮影場所端末には、
前記放射線撮影装置と、
音声情報入出力手段と、
画像情報撮影手段と
が接続されていて、
前記診察・診断室端末は、
音声情報入出力手段と、
画像情報出力・表示手段と、
前記放射線撮影装置に対する放射線撮影実行を指示する情報を入力する放射線撮影実行指示入力手段と
を備えている遠隔放射線撮影システム。
【０００９】
上述した[１]、[２] の遠隔放射線撮影システムによれば、本考案の遠隔放射線撮影は、例えば、次のように行われる。
【００１０】
放射線撮影実行指示入力を行う医師が居る診療・診察室とは離れたところにある放射線撮影場所（例えば、医院の中の放射線撮影室）において、看護師が、患者などの放射線撮影対象者の特定の部位を放射線撮影するべく、医師の指示のもとに、放射線撮影対象者の体の特定の部位に向けて放射線撮影装置をセットする。
【００１１】
すなわち、医師は、画像情報撮影手段で撮影されている、放射線撮影対象者の放射線撮影部位に向けて放射線撮影装置６をセットしている看護師の動作をリアルな映像として、診察・診断室端末の画像情報出力・表示手段で視認しつつ、音声情報入出力手段を介して必要な指示を看護師に対して音声で入力する。
【００１２】
医師からの音声での指示をヘッドフォン付きマイクロフォン装置（音声情報入出力手段）で受けている看護師は、医師の指示に従って、放射線撮影対象者の体の放射線撮影部位に向けて放射線撮影装置をセットする。
【００１３】
セットが完了したならば、看護師は、放射線被ばくを避けるため、放射線撮影場所（例えば、医院の中の放射線撮影室）から離れる。
【００１４】
看護師が、放射線撮影場所（例えば、医院の中の放射線撮影室）から離れたことを、画像情報撮影手段からの映像情報や、看護師からの音声情報入出力手段からの音声入力で確認した医師は、診察・診断室端末のキーボード、マウス、タッチパネル等の情報入力部を操作して、放射線撮影装置に対する放射線撮影実行を指示する入力情報を、ネットワークを介して送出する。
【００１５】
放射線撮影実行指示入力を受けると、放射線撮影装置が放射線撮影を実行することで、放射線撮影が終了する。
【００１６】
このように放射線撮影が行われるので、医師も看護師も放射線被ばくをより適切に避けることができる遠隔放射線撮影である。
【考案の効果】
【００１７】
この考案によれば、放射線撮影場所において、医師の指示のもとに、放射線撮影すべき患者などの体の特定の部位に向けて放射線撮影装置をセットする、診療放射線技師でなくても行うことのできる行為を、看護師などが行い、セットされた前記放射線撮影装置に対する撮影実行を指示する入力を、前記放射線撮影装置とネットワークでつながっているコンピュータなどの端末装置から医師が行うことのできる遠隔放射線撮影システムを提供することができる。
【００１８】
この考案によれば、人員不足で診療放射線技師の雇用、採用が簡単ではなくなっている状況下において、開業医などの医師が、多くの設備投資などを行う必要なしに簡易に構築することができる遠隔放射線撮影システムを提供することができる。
【図面の簡単な説明】
【００１９】
【図１】本考案の一実施形態に係る遠隔放射線撮影システムの全体構成を説明する概念図。
【図２】本考案の一実施形態に係る診察・診断室端末のブロック図。
【考案を実施するための形態】
【００２０】
以下、図面を参照して本考案の一実施形態を説明する。
【００２１】
図１の実施形態の遠隔放射線撮影システムは、診察・診断室端末１と、放射線撮影場所端末２とが、ネットワーク３を介して接続されているものである。
【００２２】
放射線撮影場所端末２は、患者などの体の特定の部位に対して放射線撮影装置６から放射線を照射して放射線撮影を行う放射線撮影場所に配備されているもので、例えば、パーソナルコンピュータ、タブレット、スマートフォン、等の端末から構成することができる。
【００２３】
診察・診断室端末１は、放射線撮影装置６に対する放射線撮影実行を指示する入力を行う医師が操作するもので、例えば、パーソナルコンピュータ、タブレット、スマートフォン、等の端末から構成することができる。
【００２４】
ネットワーク３は、放射線撮影場所と診察・診断室端末１を操作する医師が居る診察・診断室とが遠隔地に離れている場合に、診察・診断室端末１と放射線撮影場所端末２とを接続するインターネット等の有線あるいは無線のネットワークや、一つの医院などの建物の中に、放射線撮影場所である放射線撮影室と、診察・診断室端末１を操作する医師が居る診察・診断室とが存在している場合に、診察・診断室端末１と放射線撮影場所端末２とを接続するインターネット等の有線あるいは無線のネットワークや、医院内の専用回線によるネットワークなどからなる。
【００２５】
図１の構成では、遠隔放射線撮影システムを構成するコンピュータからなる診察・診断室端末１と放射線撮影場所端末２とが有線又は無線のネットワーク３を介して相互に情報交信可能に接続されている。
【００２６】
本実施形態には、この実施形態で説明する遠隔放射線撮影システムとしてコンピュータを機能させるためのコンピュータプログラムを含む。
【００２７】
図示していないが、診察・診断室端末１、放射線撮影場所端末２は、ＣＰＵ等により構成され各種データの処理、演算を行う演算処理部、メインメモリ等の各種データを記憶する主記憶部や内蔵ストレージ等の補助記憶装置などからなる記憶部、インターネット等の有線、無線のネットワークを介して各種情報の送受信を行う通信部を備えている。また、液晶ディスプレイ等の画像情報表示部、キーボード、マウス、タッチパネル、マイクロフォン、スピーカー、等の情報入出力部を備えている、更に、ウェブブラウザ機能を備えているものとすることもできる。
【００２８】
コンピュータからなる診察・診断室端末１、放射線撮影場所端末２には、この実施形態で説明する遠隔放射線撮影システムとしてコンピュータを機能させるためのコンピュータプログラムが実装されている。
【００２９】
図１図示の実施形態では、放射線撮影場所端末２に、放射線撮影装置６と、音声情報入出力手段４と、画像情報撮影手段５とが接続されている。
【００３０】
放射線撮影装置６は、不図示のＸ線管を備えていて、従来から、胸部、胃部、などの人体の所定の各部位に放射線を照射して放射線撮影画像を得るために使用されているものである。
【００３１】
音声情報入出力手段４は、図示の実施形態では、放射線撮影を行うべく、患者などの放射線撮影対象者２２の放射線撮影部位に向けて放射線撮影装置６をセットする看護師２１が頭部に装着しているヘッドフォン付きマイクロフォン装置になっている。
【００３２】
画像情報撮影手段５は、患者などの体の特定の部位に対して放射線撮影装置６から放射線を照射して放射線撮影を行う放射線撮影場所、例えば、医院の中の放射線撮影室に配備されていて、患者などの放射線撮影対象者２２の放射線撮影部位に向けて放射線撮影装置６をセットする看護師２１の動作を撮影するものでＣＣＤカメラなどから構成される。
【００３３】
診察・診断室端末１は、音声情報入出力手段１１と、画像情報出力・表示手段１２と、放射線撮影装置６に対する放射線撮影実行を指示する情報を入力する放射線撮影実行指示入力手段１３とを備えている。
【００３４】
図示の実施形態では、スピーカー装置兼用のマイクロフォン装置がコンピュータからなる診察・診断室端末１に接続されているが、コンピュータからなる診察・診断室端末１にスピーカー装置、マイクロフォン装置が具備されている構成にすることもできる。
【００３５】
画像情報出力・表示手段１２は、コンピュータからなる診察・診断室端末１が備えている液晶ディスプレイ等の情報表示部によって構成される。
【００３６】
放射線撮影実行指示入力手段１３は、コンピュータからなる診察・診断室端末１を操作している医師２０が、キーボード、マウス、タッチパネル等の情報入力部を操作することで、放射線撮影装置６に対する放射線撮影実行を指示する入力情報を、ネットワーク３を介して放射線撮影場所端末２に送出する処理を行うものである。
【００３７】
以下、図１を参照して、この実施形態の遠隔放射線撮影システムによる放射線撮影の一例を説明する。
【００３８】
放射線撮影場所（例えば、医院の中の放射線撮影室）において、看護師２１は、患者などの放射線撮影対象者２２の特定の部位を放射線撮影するべく、医師２０の指示のもとに、放射線撮影対象者２２の体の特定の部位に向けて放射線撮影装置をセットする。
【００３９】
すなわち、医師２０は、画像情報撮影手段５で撮影されている、放射線撮影対象者２２の放射線撮影部位に向けて放射線撮影装置６をセットしている看護師２１の動作をリアルな映像として、診察・診断室端末１の画像情報出力・表示手段１２で視認しつつ、音声情報入出力手段１１を介して必要な指示を看護師２１に対して音声で入力する。
【００４０】
医師２２からの音声での指示をヘッドフォン付きマイクロフォン装置（音声情報入出力手段４）で受けている看護師２１は、医師の指示に従って、放射線撮影対象者２２の体の放射線撮影部位に向けて放射線撮影装置をセットする。
【００４１】
セットが完了したならば、看護師２１は、放射線被ばくを避けるため、放射線撮影場所（例えば、医院の中の放射線撮影室）から離れる。
【００４２】
看護師２１が、放射線撮影場所（例えば、医院の中の放射線撮影室）から離れたことを、画像情報撮影手段５からの映像情報や、看護師２１からの音声情報入出力手段４からの音声入力で確認した医師２０は、診察・診断室端末１のキーボード、マウス、タッチパネル等の情報入力部を操作して、放射線撮影装置６に対する放射線撮影実行を指示する入力情報を、ネットワーク３を介して放射線撮影場所端末２に送出する。
【００４３】
コンピュータからなる放射線撮影場所端末２が放射線撮影実行指示入力を受けると、放射線撮影場所端末２に接続されている放射線撮影装置６が放射線撮影を実行することで、放射線撮影が終了する。
【００４４】
このように放射線撮影が行われるので、医師２０も看護師２１も放射線被ばくをより適切に避けることができる。
【００４５】
上述したように、この実施形態の遠隔放射線撮影システムによれば、診療放射線技師法（昭和二十六年法律第二百二十六号）において「放射線を人体に対して照射する行為」を行うことができるとされている医師が、放射線撮影場所とは離れたところに居ながら、放射線撮影を行うことができるシステムを簡便な構成で実現することができる。
【００４６】
そこで、人員不足で診療放射線技師の雇用、採用が簡単ではなくなっている状況下において、開業医などの医師は、多くの設備投資などを行う必要なしに、本考案の遠隔放射線撮影システムを構築することができる。
【００４７】
以上、本考案の実施形態を説明したが、本考案は上述した実施形態に限定されることなく、実用新案登録請求の範囲の記載から把握される技術的範囲において種々に変更可能である。
【００４８】
例えば、上述した実施形態では、患者などの体の特定の部位に対して放射線撮影装置６から放射線を照射して放射線撮影を行う放射線撮影場所にコンピュータからなる放射線撮影場所端末２が配備され、放射線撮影場所において、放射線撮影装置６、音声情報入出力手段４、画像情報撮影手段５が放射線撮影場所端末２に接続されていた。
【００４９】
これに替えて、コンピュータからなる放射線撮影場所端末２が採用されていない実施形態にすることもできる。
【００５０】
すなわち、患者などの体の特定の部位に対して放射線撮影装置６から放射線を照射して放射線撮影を行う放射線撮影場所に配備されている放射線撮影装置６、音声情報入出力手段４、画像情報撮影手段５が、ネットワーク３を介して、放射線撮影装置６に対する放射線撮影実行を指示する入力を行う医師が操作するコンピュータからなる診察・診断室端末１に接続されている構成にすることができる。
【００５１】
この場合も、診察・診断室端末１は、上述したように、音声情報入出力手段１１、画像情報出力・表示手段１２、放射線撮影実行指示入力手段１３を備えている。
【００５２】
医師２０は、画像情報撮影手段５、ネットワーク３を介して診察・診断室端末１で取得した、放射線撮影対象者２２の放射線撮影部位に向けて放射線撮影装置６をセットしている看護師２１の動作をリアルな映像として画像情報出力・表示手段１２に表示させて視認し、音声情報入出力手段１１、ネットワーク３、音声情報入出力手段４を介して、看護師２１に対して音声で必要な指示を伝え、セットが完了して、看護師２１が放射線撮影場所（例えば、医院の中の放射線撮影室）から離れたことを確認した後、診察・診断室端末１のキーボード、マウス、タッチパネル等の情報入力部を操作して、放射線撮影装置６に対する放射線撮影実行を指示する入力情報を、ネットワーク３を介して放射線撮影装置６に出力し、放射線撮影実行指示入力情報を取得した放射線撮影装置６が放射線撮影を実行することで、放射線撮影が終了するようになる。
【００５３】
放射線撮影場所端末２を使用しないことで、より簡易な構成で、診療放射線技師法において「放射線を人体に対して照射する行為」を行うことができるとされている医師が、放射線撮影場所とは離れたところに居ながら、放射線撮影を行うシステムを実現することができる。
【００５４】
また、コンピュータからなる不図示のサーバ装置をネットワーク３にネットワーク接続し、放射線撮影装置６で放射線撮影した、患者などの放射線撮影対象者２２の特定の部位についての放射線撮影画像データを、放射線撮影対象者２２に対する医師２０による診察・診断データと関連付けて前記サーバ装置の記憶部に格納する等して、診療・診察システムを構築することができる。この場合、サーバ装置については複数の機器で構成してもよく、又はクラウド上で実現されるサーバにすることもできる。
【図１】
0003235400.tif 000003
【図２】
0003235400.tif 000004